(57)【要約】【課題】捨て基板を用いて待機電力を減少することが可能なブラウン管型テレビジョン装置の提供を目的とする。【解決手段】メイン基板１３に実装されるサーミスタ１５ａの周囲に、略矩形断面のスリット１６ａ、１６ｂ、１６ｃ、１６ｄを４個形成するとともに、基板片１５ｂ、１５ｃ、１５ｄ、１５ｅの半田付け面をスリット１６ａ、１６ｂ、１６ｃ、１６ｄに挿入して半田付けすることで、前記サーミスタの周囲を囲む外壁部を形成するとともに、略矩形の天井面を有する基板片を、前記サーミスタの上方を覆うよう、前記外壁部と半田付けする。【選択図】図３
2007288659.tif 000002
【特許請求の範囲】
【請求項１】
陰極線管中の電子ビームが蛍光体の所定の位置に照射されるように、蛍光体の手前にシャドウマスクを設けたブラウン管型ディスプレイと、
テレビジョン電波を受信して、前記ブラウン管型ディスプレイに映像を表示するとともに、前記ブラウン管型ディスプレイのシャドウマスクの磁界の乱れを消磁するために、サーミスタを用いて誘磁電流を所定時間発生させることで前記シャドウマスクの消磁を行う消磁回路を実装するメイン基板とを有するブラウン管型テレビジョン装置において、
前記消磁回路は、前記サーミスタの温度を素早く上昇させることで内部抵抗の増加の速度を速めるために、
メイン基板における前記サーミスタの周囲に略矩形断面のスリットを４個形成し、
略矩形の壁面と、前記壁面の一辺から厚みを同じに所定長だけ延設した半田付け面とを有する４個の基板片を、前記メイン基板の各スリットに前記半田付け面を挿入して半田付けすることで、前記サーミスタの周囲を囲む外壁部を形成し、
略矩形の天井面を有する基板片を、前記サーミスタの上方を覆うよう前記外壁部と半田付けすることを特徴とするブラウン管型テレビジョン装置。
【請求項２】
陰極線管中の電子ビームが蛍光体の所定の位置に照射されるように、蛍光体の手前にシャドウマスクを設けたブラウン管型ディスプレイと、
テレビジョン電波を受信して、前記ブラウン管型ディスプレイに映像を表示するとともに、前記ブラウン管型ディスプレイのシャドウマスクの磁界の乱れを消磁するために、サーミスタを用いて誘磁電流を所定時間発生させることで前記シャドウマスクの消磁を行う消磁回路を実装するメイン基板とを有するブラウン管型テレビジョン装置において、
前記サーミスタの温度を素早く上昇させるため、基板片を用いて、前記サーミスタを密閉するよう前記メイン基板と半田付けする保温手段を有することを特徴とするブラウン管型テレビジョン装置。
【請求項３】
前記保温手段は、
前記実装されるサーミスタの周囲に略矩形断面のスリットを４個形成し、
略矩形の壁面と、前記壁面の一辺から厚みを同じに所定長だけ延設した半田付け面とを有する４個の前記基板片を、前記メイン基板の各スリットに前記半田付け面を挿入して半田付けすることで、前記サーミスタの周囲を囲む外壁部を形成するとともに、略矩形の天井面を有する基板片を、前記サーミスタの上方を覆うよう、前記外壁部と半田付けすることを特徴とする請求項２に記載のブラウン管型テレビジョン装置。
【請求項４】
前記保温手段は、
前記外壁部を形成する前記基板片の壁面に略矩形の係合穴を形成するとともに、
前記外壁部の天井となる基板片の天井面の一辺から厚みを同じに延設する第一の係合部を形成し、
前記外壁部を形成する基板片に形成された係合穴に、前記第一の契合部を挿入して半田付けすることで、前記サーミスタを覆うことを特徴とする請求項３に記載のブラウン管型テレビジョン装置。
【請求項５】
前記保温手段は、
前記外壁部を形成する前記基板片の壁面の前記半田付け面が延設する辺と反対の辺に、溝を形成するとともに、
前記外壁部の天井となる基板片の天井面の一辺から厚みを同じに延設して、前記溝と係合する形状の第二の係合部を形成し、
前記外壁部を形成する基板片に形成された溝に、前記第二の契合部を挿入して半田付けすることで、前記サーミスタを覆うことを特徴とする請求項３に記載のブラウン管型テレビジョン装置。
【発明の詳細な説明】
【技術分野】
【０００１】
本発明は、ブラウン管型テレビジョン装置に関し、特に、サーミスタを用いて消磁を行うブラウン管型テレビジョン装置に関する。 
【背景技術】
【０００２】
一般に、ブラウン管型テレビジョン装置においては、陰極線管中の電子ビームが蛍光体の所定の位置に照射されるように、蛍光体の手前にシャドウマスクを設けている。しかし、シャドウマスクが地磁気により磁化されると、電子ビームが曲げられ所定の位置の蛍光体に照射されなくなり、画面の色ずれ・色むらを引き起こす。
【０００３】
このようなシャドウマスクの磁化を除く方法として、消磁コイルに漸減する交流電流（消磁電流）を流し、これにより発生する減衰交番磁界を用いてシャドウマスクを消磁し、消磁した後に電流を切る方法が利用されている。ここで、消磁電流を得る方法として、電流を流すと自己発熱し抵抗が上昇する正特性サーミスタが用いられ、また消磁した後に消磁コイルの電流を切る方法として、電磁リレーが用いられている。
【０００４】
図５に電磁リレーを用いた従来の消磁回路の回路図を示す。消磁電流を得るために、交流電源１の両端にサーミスタ２、消磁コイル３、電磁リレー４を直列に接続し、また電磁リレー４のコイル側にリレー制御回路５を接続する。リレー制御回路５は、トランジスタ５ａ、ダイオード５ｂ、抵抗５ｃ、パルス発生回路５ｄを含み、その接続関係は周知であり、ここでの説明は省略する。
【０００５】
かかる構成において、交流電源１の一端に接続したスイッチ６を閉じた後、パルス発生回路５ｄより発生されるパルスがハイレベルになると、トランジスタ５ａはオン状態となり、電磁リレー４に電流が流れ、電磁リレー４はオンとなる。電磁リレー４がオンの間、交流電源１の交流電流はサーミスタ２、消磁コイル３を通り、この際、サーミスタ２の温度が上昇しその抵抗値が大きくなるに従って、前記交流電流は漸減し、消磁コイル３に減衰交番磁界を発生させる。
【０００６】
一方、カラーテレビジョン受像機が充分に消磁された後に、パルス発生回路５ｄより発生されるパルスがローレベルとなると、トランジスタ５ａはオフ状態となり、抵抗５ｃを介する電流は電磁リレー４に流れなくなり、電磁リレー４はオフとなる。ここにおいて消磁コイル３に流れる消磁電流は切られる。
【０００７】
上述した構成の消磁回路の消磁作用はブラウン管型テレビジョン装置の待機中に実施されるため、サーミスタ２に消磁電流が流れ続ける間は当然消費電流が消費されていた。そのため、消磁による消費電力を低減する必要があった。しかしながら、消費電力を低減するために、新たな回路を設けて消磁電流を減少させた場合、当然のことながら新たな回路を実装するためのコストがかさむこととなり費用対効果があまり高いものとはいえなかった。
【０００８】
従来、費用対効果を高めるために、メイン基板の作成時に捨てられる捨て基板を用いて効果を引き出す方法が開示されている。一例としては、発光ダイオードの脚部の高さを捨て基板にて延長することで、コストを下げる方法が開示されている（例えば、特許文献１参照。）。
【０００９】
また、重心位置が高く自立が不安定な電子素子を、捨て基板を用いて倒れ防止を行う方法が開示されている（例えば、特許文献２参照。）。
【００１０】
さらには、トランスとコンデンサ等のスイッチング素子との間を捨て基板にて遮蔽することで、トランスからの発熱をスイッチング素子に伝導させない方法が開示されている（例えば、特許文献３参照。）。
【特許文献１】特開２００２−１１１１６７
【特許文献２】特開平１１−１４５６４８
【特許文献３】特開平８−２９３６９１
【発明の開示】
【発明が解決しようとする課題】
【００１１】
上述した特許文献１、特許文献２、特許文献３の発明は、次のような課題があった。つまり、消磁回路における消費電力を減少させるものを狙ったものではなかった。さらに、待機電力を減少させる作用を有するものも存在しなかった。
【００１２】
本発明は、上記課題にかんがみてなされたもので、捨て基板を用いて待機電力を減少することが可能なブラウン管型テレビジョン装置の提供を目的とする。
【課題を解決するための手段】
【００１３】
上記課題を解決するために、本発明の請求項１にかかる発明では、陰極線管中の電子ビームが蛍光体の所定の位置に照射されるように、蛍光体の手前にシャドウマスクを設けたブラウン管型ディスプレイと、テレビジョン電波を受信して、前記ブラウン管型ディスプレイに映像を表示するとともに、前記ブラウン管型ディスプレイのシャドウマスクの磁界の乱れを消磁するために、サーミスタを用いて誘磁電流を所定時間発生させることで前記シャドウマスクの消磁を行う消磁回路を実装するメイン基板とを有するブラウン管型テレビジョン装置において、
前記消磁回路は、前記サーミスタの温度を素早く上昇させることで内部抵抗の増加の速度を速めるために、前記メイン基板に実装されるサーミスタの周囲に、略矩形断面のスリットを４個形成し、略矩形の壁面の一辺から厚みを同じに所定長だけ延設した半田付け面とを有する４個の基板片を、前記メイン基板の各スリットに前記半田付け面を挿入して半田付けすることで、前記サーミスタの周囲を囲む外壁部を形成するとともに、略矩形の天井面を有する基板片を、前記サーミスタの上方を覆うよう、前記外壁部と半田付けする構成としてある。
【００１４】
上記のように構成した請求項１にかかる発明においては、メイン基板に実装されたサーミスタは、４個の基板片にて形成された外壁部と、サーミスタの上方を覆う基板片にて周囲、並びに天井を覆われているため、サーミスタの発熱による温度上昇が促進され、サーミスタ自身の内部抵抗の上昇速度が速くなる。このため、サーミスタに流れる消磁電流の消費電力を低減することが可能となる。
【００１５】
また、上記目的を達成するために、請求項２に記載のブラウン管型テレビジョン装置では、陰極線管中の電子ビームが蛍光体の所定の位置に照射されるように、蛍光体の手前にシャドウマスクを設けたブラウン管型ディスプレイと、テレビジョン電波を受信して、前記ブラウン管型ディスプレイに映像を表示するとともに、前記ブラウン管型ディスプレイのシャドウマスクの磁界の乱れを消磁するために、サーミスタを用いて誘磁電流を所定時間発生させることで前記シャドウマスクの消磁を行う消磁回路を実装するメイン基板とを有するブラウン管型テレビジョン装置において、
前記サーミスタの温度を素早く上昇させるため、基板片を、前記サーミスタを密閉するよう前記メイン基板と半田付けする保温手段を有する構成としてある。
【００１６】
上記のように構成した請求項２にかかる発明において、サーミスタは、保温手段によって覆われるので、サーミスタの発熱による温度上昇が促進され、サーミスタ自身の内部抵抗の上昇速度が速くなる。このため、サーミスタに流れる消磁電流の消費電力を低減することが可能となる。
【００１７】
そして、請求項３にかかる発明では、請求項２に記載のブラウン管型テレビジョン装置において、前記保温手段は、前記実装されるサーミスタの周囲に略矩形断面のスリットを４個形成し、略矩形の壁面の一辺から厚みを同じに所定長だけ延設した半田付け面とを有する４個の前記基板片を、前記メイン基板の各スリットに前記半田付け面を挿入して半田付けすることで、前記サーミスタの周囲を囲む外壁部を形成するとともに、略矩形の天井面を有する基板片を、前記サーミスタの上方を覆うよう、前記外壁部と半田付けする構成としてある。
【００１８】
上記のように構成した請求項３にかかる発明において、保温手段は、略矩形の壁面の一辺から厚みを同じに所定長だけ延設した半田付け面とを有する４個の前記基板片を、メイン基板の各スリットに前記半田付け面を挿入して半田付けすることで、前記サーミスタの周囲を囲む外壁部を形成し、略矩形の天井面を有する基板片を、前記サーミスタの上方を覆うよう前記外壁部と半田付けする。
【００１９】
さらに、請求項４にかかる発明では、請求項３に記載のブラウン管型テレビジョン装置において、前記保温手段は、前記外壁部を形成する前記基板片の壁面に略矩形の係合穴を形成するとともに、前記外壁部の天井となる基板片の天井面の一辺から厚みを同じに延設する第一の係合部を形成し、前記外壁部を形成する基板片に形成された係合穴に、前記第一の契合部を挿入して半田付けすることで、前記サーミスタを覆う構成としてある。
【００２０】
上記のように構成した請求項４にかかる発明において、外壁部を形成する基板片に形成された係合穴に、基板片の第一の契合部を挿入して半田付けするので、作業性の向上を図ることができる。
【００２１】
さらに、請求項５にかかる発明は、請求項３に記載のブラウン管型テレビジョン装置において、前記保温手段は、前記外壁部を形成する前記基板片の壁面の前記半田付け面が延設する辺と反対の辺に、溝を形成するとともに、前記外壁部の天井となる基板片の天井面の一辺から厚みを同じに延設して、前記溝部と係合する形状の第二の係合部を形成し、
前記外壁部を形成する基板片に形成された溝に、前記第二の契合部を挿入して半田付けすることで、前記サーミスタを覆う構成としてある。
【００２２】
上記のように構成した請求項５にかかる発明において、外壁部を形成する基板片に形成された溝に、第二の契合部を挿入して半田付けすることで、前記サーミスタを覆う構成としてあるので、より一層の作業性の向上を図ることが可能となる。
【発明の効果】
【００２３】
以上説明したように本発明によれば、捨て基板を用いて待機電力を減少することが可能なブラウン管型テレビジョン装置の提供することができる。
また請求項３にかかる発明によれば、捨て基板の形状を工夫してサーミスタの密閉性を向上させているので、効果的に待機電力を減少することができる。
さらに、請求項４にかかる発明によれば、外壁部を形成する基板片に形成された係合穴に、基板片の第一の契合部を挿入して半田付けするので、組み立てが容易で作業性の向上を図ることができる。
また請求項５にかかる発明によれば、捨て基板の形状を工夫してさらに組み立て易い形状としているので、より一層作業性を向上することができる。
さらに請求項１のような、より具体的な構成において、上述した請求項２〜請求項５の各発明と同様の作用を奏することはいうまでもない。
【発明を実施するための最良の形態】
【００２４】
以下、下記の順序に従って本発明の実施形態を説明する。
（１）ブラウン管型テレビジョン装置の構成
（２）サーミスタの保温方法
（３）第二の実施の形態
（４）第三の実施の形態
（５）まとめ
【００２５】
（１）ブラウン管型テレビジョン装置の説明。
図１は本発明の一実施形態であるブラウン管型テレビジョン装置１０の斜視図である。また、同図より、ブラウン管型テレビジョン装置１０は、筐体１１と、ブラウン管型ディスプレイ１２と、メイン基板１３と、スピーカ１４とから構成されている。前記構成において、ブラウン管型テレビジョン装置１０は、テレビジョン放送を受信して、ブラウン管に所定の番組を表示する。
【００２６】
メイン基板１３は、チューナ部から入力されるテレビジョン放送信号を基に映像信号と音声信号を生成して、前記映像信号をブラウン管型ディスプレイ１２に出力するとともに、前記音声信号をスピーカ１４に出力する。図２は本発明の一実施家形態であるブラウン管型テレビジョン装置１０のブロック構成図である。図よりメイン基板１３は、チューナ部１３ａと映像回路１３ｂと、音声回路１３ｃと電源回路１３ｄと制御部１３ｆとから構成されている。
【００２７】
前記構成において、メイン基板１３を構成する要素は、ＩＩＣバス１３ｇによって接続され、制御部１３ｆが全体を制御する。ユーザがリモコン１０ａを介して指示を出すと同指示は制御部１３ｆのリモコンＩ／Ｆ１３ｆ１を介してマイコン１３ｆ２に出力され、そこから命令を実行する各構成要素に伝達される。また、制御部１３ｆは、映像信号や音声信号に信号処理を行う際の実行プログラムを記録する記録部１３ｆ３を有しており、ユーザからの指示に基づいて前記実行プログラムを起動することで、各構成要素に信号処理を実行させるよう指示を出す。記録部１３ｆ３としては、ＥＥＰＲＯＭや、フラッシュＲＯＭ等が上げられる。
【００２８】
チューナ部１３ａはアンテナ１３ａ１が受信したテレビジョン放送から、ユーザがリモコン１０ａ等で選択した所定の番組に対応する搬送波を選択し、前記選択した搬送波から映像信号と音声信号を抽出するクロマ制御を行う。チューナ部１３ａは、前記クロマ制御を行った後、映像信号を映像回路１３ｂに、音声信号を音声回路１３ｃにそれぞれ出力する。本発明のチューナ部１３ａとしては、ＰＬＬ方式を採用し、ディジタル放送とアナログ放送の両方を受信可能とするが、これに限定されず、ディジタル放送のみを受信するものでも、アナログ放送のみを受信するものであってもよい。
【００２９】
映像回路１３ｂは、前記入力した映像信号にアナログ／ディジタル変換を行うともに、ＲＧＢ各色に対応する色信号と輝度信号を生成する。その後、前記色信号と輝度信号にガンマ補正等の信号処理を行った後、前記信号処理を施された色信号、並びに輝度信号をバッファ１３ｂ１に一時的に記録する。
【００３０】
駆動回路１２ａは、前記信号処理された色信号並びに輝度信号をバッファ１３ｂ１から受け取り、前記色信号と輝度信号を基に、ブラウン管型１２ｂの所定の画素を駆動させるための駆動電圧を生成する。ブラウン管１２ｂは画面を表示するガラス管の内部にＲＧＢの各色が塗布された蛍光面と、前記蛍光面に電子ビームを放出する電子銃とから構成されている。駆動回路１２ａから出力された駆動電圧を基に電子銃は前記蛍光面の所定の位置に電子ビームを放出する。このとき、蛍光面はシャドウマスクにて格子状に覆われており、シャドウマスクに覆われた蛍光面に前記電子ビームが当たることで、蛍光面はＲＧＢの各色を光らせる。前記発光を組み合わせることで、ブラウン管型ディスプレイ１２は所定の映像を表示させる。
【００３１】
また、チューナ部１３ａから出力された音声信号は、音声回路１３ｃに出力される。ユーザがリモコン１０ａ等を用いた操作により、マイコン１３ｆ２は、音声回路１３ｃに音声信号を増幅するよう指示を出す。音声信号を増幅させた後、前記音声信号をスピーカ１４に出力する。スピーカ１４は前記音声信号を空気振動に変換することで音声を出力する。
【００３２】
また、メイン基板１３は、消磁回路１３ｅを有している。消磁回路１３ｅは、上述したようにブラウン管１２ｂのシャドウマスクの磁界を消磁するためのものである。本発明の消磁回路１３ｅは、図３、図４、図５に図示したようにサーミスタ１５ａを基板片にて密閉することで、サーミスタ１５ａの温度上昇を早くし、それによりサーミスタ１５ａに流れる消磁電流を減少させる。これにより、消磁回路１３ｅの消費電力を減少することが可能となる。以下にサーミスタ１５ａの密閉方法を説明する。
【００３３】
（３）サーミスタの密閉方法
図３は、基板片にて覆われるサーミスタを表す図である。同図より、サーミスタ１５ａは、４個の基板片１５ｂ、１５ｃ、１５ｄ、１５ｅにて周囲を囲まれているとともに、上方を同様に基板片１５ｆにて覆われている。サーミスタ１５ａを覆う基板片１５ｂ、１５ｃ、１５ｄ、１５ｅは、形状が同一であるため、便宜上基板片１５ｂのみを説明する。基板片１５ｂは、略矩形の壁面１５ｂ１と、壁面１５ｂ１から厚みを同じに延設する半田面１５ｂ２とを有する形状である。このとき、壁面ｂ１の大きさとしては、覆われるサーミスタの大きさに合わせて多少大きめであることが望ましい。上述した基板片１５ｂ、１５ｃ、１５ｄ、１５ｅは、メイン基板１３を形成するために余分な箇所をカットした基板の切れ端から形成している。このため、基板片の厚みは切れ端の厚みに左右されることとなる。
【００３４】
以下にサーミスタ１５ａを基板片で囲む方法を説明する。メイン基板１３のサーミスタ１５ａの周囲には、あらかじめ基板片１５ｂ、１５ｃ、１５ｄ、１５ｅの各半田面が挿入されるスリット１６ａ、１６ｂ、１６ｃ、１６ｄを形成しておく。前記した各スリット１６ａ、１６ｂ、１６ｃ、１６ｄの形状は、基板片１５ｂ、１５ｃ、１５ｄ、１５ｄの半田面１５ｂ２、１５ｃ２、１５ｄ２、１５ｅ２の断面と略同形状とし、半田面１５ｂ２、１５ｃ２、１５ｄ２、１５ｅ２をスリット１６ａ、１６ｂ、１６ｃ、１６ｄにそれぞれ挿入した際、基板片がサーミスタの四方を囲むよう形成する必要がある。本発明のスリット１６ａ、１６ｂ、１６ｃ、１６ｄは、図に示すよう各半田面１５ｂ２、１５ｃ２、１５ｄ２、１５ｅ２の形状に合わせた矩形断面のスリット１６ａ、１６ｂ、１６ｃ、１６ｄが、サーミスタの四方を囲むよう形成されている。
【００３５】
上述したスリット１６ａ、１６ｂ、１６ｃ、１６ｄの形状はこれに限定されず、サーミスタ１５ａを囲む基板片１５ｂ、１５ｃ、１５ｄ、１５ｅの半田面１５ｂ２、１５ｃ２、１５ｄ２、１５ｅ２の断面の形状に合わせて形成すればよい。例えば、半田面１５ｂ２、１５ｃ２、１５ｄ２、１５ｅ２の断面の形状を略円形とすれば、半田面１５ｂ２、１５ｃ２、１５ｄ２、１５ｅ２を各スリット１６ａ、１６ｂ、１６ｃ、１６ｄに挿入した後、基板片１５ｂ、１５ｃ、１５ｄ、１５ｅの角度をスリット１６ａ、１６ｂ、１６ｃ、１６ｄを略中心として回転させることが可能となる。このため、後述する方法でサーミスタ１５ａを各基板片で覆った際、各基板片を半田付けするのが容易となる。
【００３６】
上述した方法で、基板片１５ｂ、１５ｃ、１５ｄ、１５ｅをスリット１６ａ、１６ｂ、１６ｃ、１６ｄに挿入して固定した後、各基板片１５ｂ、１５ｃ、１５ｄ、１５ｅの半田面１５ｂ２、１５ｃ２、１５ｄ２、１５ｅ２をメイン基板１３の背面から半田付けするとともに、各基板片１５ｂ、１５ｃ、１５ｄ、１５ｅの壁面１５ｂ１、１５ｃ１、１５ｄ１、１５ｅ１の幅方向端部を半田付けして、各基板片１５ｂ、１５ｃ、１５ｄ、１５ｅをサーミスタ１５ａを囲むようにして固定する。前記した方法により基板片１５ｂ、１５ｃ、１５ｄ、１５ｅによりサーミスタ１５ａを囲む外壁面を形成する。
【００３７】
次に、サーミスタ１５ａの上方を、略矩形の基板片１５ｆにて覆いかぶせるように外壁面と半田付けする。このとき、基板片１５ｆの形状としては前記した略矩形に限定されることなく、基板片１５ｂ、１５ｃ、１５ｄ、１５ｅにて形成した外壁面の天井を覆うような形状であればよい。上述したように、サーミスタ１５ａは、基板片１５ｂ、１５ｃ、１５ｄ、１５ｅ、さらには１５ｆにて周囲と天井を覆われてサーミスタ１５ａの密閉性は高まるので、サーミスタ１５ａに流れる消磁電流による発熱が促進されるので、サーミスタ１５ａ自身の内部抵抗の増加が促進される。これにより、消磁電流の減少速度が速まり、待機時における消費電力を効果的に減少させる。
【００３８】
（３）第二の実施の形態
上述したように、サーミスタ１５ａを基板片１５ｂ、１５ｃ、１５ｄ、１５ｅ、１５ｆにて密閉することで、待機中の消費電力を減少させるが、基板片１５ｂ、１５ｃ、１５ｄ、１５ｅの組み合わせ方を工夫することで、サーミスタ１５ａを密閉する際の作業性を向上することが可能となる。図４は、本発明の第二の実施の形態におけるサーミスタを密閉する基板片を示す図である。同図より、基板片１５ｂの壁面１５ｂ１の端部には略矩形のスリット１５ｂ３が形成されている。また、基板片１５ｂ、１５ｃ、１５ｄ、１５ｅにて外壁面を形成した際、外壁面の天井を覆う基板片１５ｆには、矩形の面である天井面１５ｆ１から厚みを同じに延設する係合部１５ｆ２が形成されている。
【００３９】
前記した係合部１５ｆ２の断面は、前記した基板片１５ｂに形成されたスリット１５ｂ３の断面と略同形状か小さいものであればよく、上述したスリット１５ｂ３、並びに係合部１５ｆ２の形状に限定されるものではない。これにより、基板片１５ｂ、１５ｃ、１５ｄ、１５ｅにて外壁面を形成した後、基板片１５ｆの係合部１５ｆ２を、外壁面の内側から基板片１５ｂのスリット１５ｂ３に挿入することにより、外壁面の天井は覆われることとなる。最後に、基板片１５ｂのスリット１５ｂ３から突出した係合部１５ｆ２を半田付けすることにより、サーミスタ１５ａは各基板片１５ｂ、１５ｃ、１５ｄ、１５ｅ、１５ｆにより覆われることとなる。または、上述した基板片１５ｆは、基板片１５ｂ、１５ｃ、１５ｄ、１５ｅにより外壁面を形成する前にあらかじめ、基板片１５ｂのスリット１５ｂ３に挿入しておいてもよい。これによりより一層の作業性が向上される。
【００４０】
（４）第三の実施の形態
また、基板片の形状を以下に述べるようさらに工夫することで、サーミスタ１５ａを密閉する際の作業性をさらに向上させることが可能となる。図５は、本発明の第三の実施の形態におけるサーミスタを密閉する基板片を示す図である。同図より、基板片１５ｂの壁面１５ｂ１は、半田面１５ｂ２が延設する辺と反対側の辺に溝１５ｂ４を形成している。また、外壁面の天井を覆う基板片１５ｆには、矩形の面である天井面１５ｆ１から厚みを同じに延設する第二の係合部１５ｆ３が形成されている。上述した基板片１５ｂの溝１５ｂ４と、基板片１５ｆの第二の係合部１５ｆ３の形状は、第二の係合部１５ｆ３が溝１５ｂ４に挿入可能な形状であればよい。
【００４１】
上述した形状の基板片１５ｂ、１５ｃ、１５ｄ、１５ｅを用いてサーミスタ１５ａを囲む外壁面を形成した後、基板片１５ｂの溝１５ｂ４に、基板片１５ｆの第二の係合部１５ｆ３を挿入し、半田付けすることでサーミスタ１５ａを密閉する。これにより、基板片の形状を工夫してさらに組み立て易い形状としているので、より一層作業性を向上することができる。
【００４２】
（５）まとめ
以上説明したように、消磁回路１３ｅは、サーミスタ１５ａの温度を素早く上昇させることで内部抵抗の増加の速度を速めるために、メイン基板１３に実装されるサーミスタ１５ａの周囲に、略矩形断面のスリット１６ａ、１６ｂ、１６ｃ、１６ｄを４個形成するとともに、基板片１５ｂ、１５ｃ、１５ｄ、１５ｅの半田付け面をスリット１６ａ、１６ｂ、１６ｃ、１６ｄに挿入して半田付けすることで、前記サーミスタの周囲を囲む外壁部を形成するとともに、略矩形の天井面を有する基板片を、前記サーミスタの上方を覆うよう、前記外壁部と半田付けするので、捨て基板を用いて待機電力を減少することが可能なブラウン管型テレビジョン装置の提供することができる。
【００４３】
上記目的を達成するために、請求項２に記載のブラウン管型テレビジョン装置では、陰極線管中の電子ビームが蛍光体の所定の位置に照射されるように、蛍光体の手前にシャドウマスクを設けたブラウン管と、テレビジョン電波を受信して、前記ブラウン管に映像を表示するとともに、前記ブラウン管のシャドウマスクの磁界の乱れを消磁するために、サーミスタを用いて誘磁電流を所定時間発生させることで前記シャドウマスクの消磁を行う消磁回路を実装するメイン基板とを有するブラウン管型テレビジョン装置において、
前記サーミスタの温度を素早く上昇させるため、基板片を、前記サーミスタを密閉するよう前記メイン基板と半田付けする保温手段を有する構成としてある。
【００４４】
上記のように構成した請求項２にかかる発明において、サーミスタは、保温手段によって覆われるので、サーミスタの発熱による温度上昇が促進され、サーミスタ自身の内部抵抗の上昇速度が速くなる。このため、サーミスタに流れる消磁電流の消費電力を低減することが可能となる。
【００４５】
そして、請求項３にかかる発明では、請求項２に記載のブラウン管型テレビジョン装置において、前記保温手段は、前記実装されるサーミスタの周囲に略矩形断面のスリットを４個形成し、略矩形の壁面の一辺から厚みを同じに所定長だけ延設した半田付け面とを有する４個の前記基板片を、前記メイン基板の各スリットに前記半田付け面を挿入して半田付けすることで、前記サーミスタの周囲を囲む外壁部を形成するとともに、略矩形の天井面を有する基板片を、前記サーミスタの上方を覆うよう、前記外壁部と半田付けする構成としてある。
【００４６】
上記のように構成した請求項３にかかる発明において、保温手段は、略矩形の壁面の一辺から厚みを同じに所定長だけ延設した半田付け面とを有する４個の前記基板片を、メイン基板の各スリットに前記半田付け面を挿入して半田付けすることで、前記サーミスタの周囲を囲む外壁部を形成し、略矩形の天井面を有する基板片を、前記サーミスタの上方を覆うよう前記外壁部と半田付けするので、捨て基板の形状を工夫してサーミスタの密閉性を向上させることで効果的に待機電力を減少することができる。
【００４７】
さらに、請求項４にかかる発明では、請求項３に記載のブラウン管型テレビジョン装置において、前記保温手段は、前記外壁部を形成する前記基板片の壁面に略矩形の係合穴を形成するとともに、前記外壁部の天井となる基板片の天井面の一辺から厚みを同じに延設する第一の係合部を形成し、前記外壁部を形成する基板片に形成された係合穴に、前記第一の契合部を挿入して半田付けすることで、前記サーミスタを覆う構成としてある。
【００４８】
上記のように構成した請求項４にかかる発明において、外壁部を形成する基板片に形成された係合穴に、基板片の第一の契合部を挿入して半田付けするので、作業性の向上を図ることができる。
【００４９】
さらに、請求項５にかかる発明は、請求項３に記載のブラウン管型テレビジョン装置において、前記保温手段は、前記外壁部を形成する前記基板片の壁面の前記半田付け面が延設する辺と反対の辺に、溝を形成するとともに、前記外壁部の天井となる基板片の天井面の一辺から厚みを同じに延設して、前記溝部と係合する形状の第二の係合部を形成し、
前記外壁部を形成する基板片に形成された溝に、前記第二の契合部を挿入して半田付けすることで、前記サーミスタを覆う構成としてある。
【００５０】
上記のように構成した請求項５にかかる発明において、外壁部を形成する基板片に形成された溝に、第二の契合部を挿入して半田付けすることで、前記サーミスタを覆う構成としてあるので、より一層の作業性の向上を図ることが可能となる。
【００５１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５２】
【図１】従来のブラウン管型テレビジョン装置の斜視図である。
【図２】従来のブラウン管型テレビジョン装置のブロック構成図を示す図である。
【図３】捨て基板で覆ったサーミスタを示す図である。
【図４】捨て基板で覆ったサーミスタを示す図である。
【図５】捨て基板で覆ったサーミスタを示す図である。
【図６】従来の消磁回路を示す図である。
【符号の説明】
【００５３】
１０…ブラウン管型テレビジョン装置、１０ａ…リモコン、１１…筐体、１２…ブラウン管型ディスプレイ、１２ａ…駆動回路、１２ｂ…ブラウン管、１３…メイン基板、１３ａ…チューナ部、１３ａ１…アンテナ、１３ｂ…映像回路、１３ｂ１…バッファ、１３ｃ…音声回路、１３ｄ…電源回路、１３ｅ…消磁回路、１３ｆ…制御部、１３ｆ１…リモコンＩ／Ｆ、１３ｆ２…マイコン、１３ｆ３…記録部、１３ｆ４…ＯＳＤ回路、１３ｇ…ＩＩＣバス、１４…スピーカ、１５ａ…サーミスタ、１５ｂ、１５ｃ、１５ｄ、１５ｅ…基板片、１５ｂ１、１５ｃ１、１５ｄ１、１５ｅ１…壁面、１５ｂ２、１５ｃ２、１５ｄ２、１５ｅ２…半田面、１５ｂ３…スリット、１５ｂ４…溝、１５ｆ…基板片、１５ｆ１…天井面、１５ｆ２…係合部、１５ｆ３…係合部、１６ａ、１６ｂ、１６ｃ、１６ｄ…スリット、
【図１】
2007288659.tif 000003
【図２】
2007288659.tif 000004
【図３】
2007288659.tif 000005
【図４】
2007288659.tif 000006
【図５】
2007288659.tif 000007
【図６】
2007288659.tif 000008